(57)【要約】【課題】ロングノズルをムラなく予熱することができ、スポーリング、首部の折損またはソケット部の割れなどを抑制できると共に、予熱用バーナーの熱を効率的に利用して予熱することができるロングノズル予熱用吸引加熱装置およびそれを用いたロングノズルの予熱方法を提供する。【解決手段】本発明のロングノズル予熱用吸引加熱装置１は、ロングノズル４０の上端開口４０ｂより予熱用バーナーからの炎または熱を吸引するための吸引口２と、吸引した炎または熱を排出するための排出口３と、吸引口２と排出口３とを連通させ吸引した炎または熱を流通させるための流通部４と、流通部４に連通し吸引口２から炎または熱を吸引するための吸引手段１０を装着するための装着部５とを有し、ロングノズル４０の上端開口４０ｂ付近に吸引口２が配される本体部６を備えている。【選択図】図２
2013169560.tif 000002
【特許請求の範囲】
【請求項１】
ロングノズルの上端開口より予熱用バーナーからの炎または熱を吸引するための吸引口と、吸引した炎または熱を排出するための排出口と、前記吸引口と前記排出口とを連通させ吸引した炎または熱を流通させるための流通部と、該流通部に連通し前記吸引口から炎または熱を吸引するための吸引手段を装着するための装着部とを有し、前記ロングノズルの上端開口付近に前記吸引口が配される本体部を備えていることを特徴とするロングノズル予熱用吸引加熱装置。
【請求項２】
前記装着部に前記吸引手段が装着されている請求項１に記載のロングノズル予熱用吸引加熱装置。
【請求項３】
前記吸引手段は、前記本体部の前記流通部内にエアーを流入させると共に、前記吸引口側から前記排出口側に向かってエアーを流通させ、前記排出口よりエアーを排出させるエアー供給手段である請求項２に記載のロングノズル予熱用吸引加熱装置。
【請求項４】
ロングノズルの上端開口より予熱用バーナーからの炎または熱を吸引するための吸引口と、吸引した炎または熱を排出するための排出口と、前記吸引口と前記排出口とを連通させ吸引した炎または熱を流通させるための流通部と、該流通部に連通し前記吸引口から炎または熱を吸引するための吸引手段を装着するための装着部とを有した本体部と、前記装着部に装着された前記吸引手段とを備えたロングノズル予熱用吸引加熱装置を前記ロングノズルの上端開口付近に配し、前記吸引手段により予熱用バーナーからの炎または熱を前記吸引口から吸引して引き上げ前記ロングノズルを予熱することを特徴とするロングノズルの予熱方法。
【発明の詳細な説明】
【技術分野】
【０００１】
本発明は、連続鋳造用ロングノズルの予熱に使用して好適なロングノズル予熱用吸引加熱装置およびそれを用いたロングノズルの予熱方法に関するものである。
【背景技術】
【０００２】
従来より、連続鋳造用ロングノズルを使用するに際しては、ガスバーナー方式による予熱が一般的に行われている。
【０００３】
具体的には、図５に示すように、タンディッシュ予熱バーナー３０によりタンディッシュ３１を予熱する際に、タンディッシュ３１内にロングノズル４０を挿入して加熱している。
【０００４】
しかし、ロングノズル４０を上部まで均一に予熱しようとしてタンディッシュ３１内に深くロングノズル４０を挿入すると、ロングノズル４０を保持するマニプレーターアーム３２に直接炎が当たりマニプレーターアーム３２が変形してしまうことがあった。
【０００５】
他方、マニプレーターアーム３２の変形を回避するために、図６に示すように、ロングノズル４０の下部付近のみをタンディッシュ３１内に挿入して予熱を行うと、ロングノズル４０の下部付近のみ加熱され上部付近４０ａは温度が上がらず、この予熱ムラに起因して、スポーリング、首部の折損またはソケット部の割れなどが発生することがあった。
【０００６】
この問題を解決する方法として、例えば特開２００６−２１８４８５号公報などには、タンディッシュ内に挿入したロングノズルの上端開口からバーナーで加熱してロングノズル全体を均一に加熱し予熱ムラを解消する方法などが提案されている。
【０００７】
しかし、この方法では、ロングノズルの下部を加熱するタンディッシュ予熱バーナーの他に、ロングノズルの上部を加熱するバーナーを要し、タンディッシュ予熱バーナーによる熱が効率的に利用されず、予熱コストも嵩むという問題があった。
【先行技術文献】
【特許文献】
【０００８】
【特許文献１】特開２００６−２１８４８５号公報
【発明の概要】
【発明が解決しようとする課題】
【０００９】
そこで、本発明の課題は、ロングノズルをムラなく均一に予熱することができ、スポーリング、首部の折損またはソケット部の割れなどを抑制できると共に、予熱用バーナーの熱を効率的に利用して予熱することができるロングノズル予熱用吸引加熱装置およびそれを用いたロングノズルの予熱方法を提供することにある。
【００１０】
上記課題を解決するものは、ロングノズルの上端開口より予熱用バーナーからの炎または熱を吸引するための吸引口と、吸引した炎または熱を排出するための排出口と、前記吸引口と前記排出口とを連通させ吸引した炎または熱を流通させるための流通部と、該流通部に連通し前記吸引口から炎または熱を吸引するための吸引手段を装着するための装着部とを有し、前記ロングノズルの上端開口付近に前記吸引口が配される本体部を備えていることを特徴とするロングノズル予熱用吸引加熱装置である。
【００１１】
前記ロングノズル予熱用吸引加熱装置は、前記装着部に前記吸引手段が装着され、吸引手段を備えたものであってもよい。前記吸引手段は、前記本体部の前記流通部内にエアーを流入させると共に、前記吸引口側から前記排出口側に向かってエアーを流通させ、前記排出口よりエアーを排出させるエアー供給手段であることが好ましい。
【００１２】
上記課題を解決するものは、ロングノズルの上端開口より予熱用バーナーからの炎または熱を吸引するための吸引口と、吸引した炎または熱を排出するための排出口と、前記吸引口と前記排出口とを連通させ吸引した炎または熱を流通させるための流通部と、該流通部に連通し前記吸引口から炎または熱を吸引するための吸引手段を装着するための装着部とを有した本体部と、前記装着部に装着された前記吸引手段とを備えたロングノズル予熱用吸引加熱装置を前記ロングノズルの上端開口付近に配し、前記吸引手段により予熱用バーナーからの炎または熱を前記吸引口から吸引して引き上げ前記ロングノズルを予熱することを特徴とするロングノズルの予熱方法である。
【発明の効果】
【００１３】
請求項１または２に記載したロングノズル予熱用吸引加熱装置によれば、ロングノズルを均一にムラなく予熱することができ、スポーリング、首部の折損またはソケット部の割れなどを抑制できると共に、予熱用バーナーの熱を効率的に利用して予熱することができる。
請求項３に記載したロングノズル予熱用吸引加熱装置によれば、より簡素な構造で効果的に予熱用バーナーからの炎または熱を吸引可能なロングノズル予熱用吸引加熱装置を構成できる。
請求項４に記載したロングノズルの予熱方法によれば、ロングノズルを均一にムラなく予熱することができ、スポーリング、首部の折損またはソケット部の割れなどを抑制できると共に、予熱用バーナーの熱を効率的に利用して予熱することができる。
【図面の簡単な説明】
【００１４】
【図１】本発明のロングノズル予熱用吸引加熱装置の一実施例の正面概略図である。
【図２】本発明のロングノズルの予熱方法を説明するための正面概略図である。
【図３】本発明のロングノズル予熱用吸引加熱装置の他の実施例の斜視概略図である。
【図４】図３に示したロングノズル予熱用吸引加熱装置を用いたロングノズルの予熱方法を説明するための正面概略図である。
【図５】従来のロングノズルの予熱方法を説明するための説明図である。
【図６】従来のロングノズルの予熱方法を説明するための説明図である。
【発明を実施するための形態】
【００１５】
本発明では、ロングノズル予熱用吸引加熱装置１が、ロングノズル４０の上端開口４０ｂより予熱用バーナーからの炎または熱を吸引するための吸引口２と、吸引した炎または熱を排出するための排出口３と、吸引口２と排出口３とを連通させ吸引した炎または熱を流通させるための流通部４と、流通部４に連通し吸引口２から炎または熱を吸引するための吸引手段１０を装着するための装着部５とを有し、ロングノズル４０の上端開口４０ｂ付近に吸引口２が配される本体部６を備えることで、ロングノズル４０を均一にムラなく予熱することができ、スポーリング、首部の折損またはソケット部の割れなどを抑制できると共に、予熱用バーナーの熱を効率的に利用して予熱することができるロングノズルの予熱方法を実現した。
【実施例１】
【００１６】
本発明のロングノズル予熱用吸引加熱装置を図１または図２に示した一実施例を用いて説明する。
この実施例のロングノズル予熱用吸引加熱装置１は、ロングノズル４０の上端開口４０ｂより予熱用バーナーからの炎または熱を吸引するための吸引口２と、吸引した炎または熱を排出するための排出口３と、吸引口２と排出口３とを連通させ吸引した炎または熱を流通させるための流通部４と、流通部４に連通し吸引口２から炎または熱を吸引するための吸引手段１０を装着するための装着部５とを有し、ロングノズル４０の上端開口４０ｂ付近に吸引口２が配される本体部６を備えている。以下、各構成について詳述する。
【００１７】
ロングノズル予熱用吸引加熱装置１は、図４および図５に示すように、タンディッシュ３１内にロングノズル４０を挿入し予熱バーナー３０により予熱する際に、図２に示すように、ロングノズル４０の上端開口４０ｂ付近に本体部６の吸引口２を配し、吸引手段１０により予熱バーナー３０からの炎または熱をロングノズル４０の下端開口および内孔を介して上方まで引き上げるために使用するものである。
【００１８】
吸引口２は、ロングノズル４０の上端開口４０ｂより予熱用バーナー３０からの炎または熱を吸引するための部位であり、上下端がそれぞれ開口した筒状の本体部６の下端に形成されている。なお、この実施例の吸引口２は、ロングノズル４０の内孔径と略同一の内径を有するように形成されている。
【００１９】
排出口３は、吸引した炎または熱を排出するための部位であり、上下端がそれぞれ開口した筒状の本体部６の上端に形成されている。
【００２０】
流通部４は、吸引口２と排出口３とを連通させ吸引した炎または熱を流通させるための部位であり、筒状の本体部６内における吸引口２と排出口３間の空間全域にて形成されている。
【００２１】
装着部５は、流通部４に連通し吸引口２から炎または熱を吸引するための吸引手段１０を装着するための部位であり、この実施例では、筒状の本体部６の軸方向に対して直交する方向に延在するように取り付けられた管状体から構成されている。
【００２２】
装着部５を構成する管状体の一端側（図２中左端側）は、本体部６の側壁を貫通して流通部４と連通し、さらに、上方の排出口３に向かって屈曲し開口している。他方、装着部５を構成する管状体の他端（図２中右端側）は、吸引手段１０に装着するために開口している。また、他端側にはバルブ７が設けられおり、管状体内を開閉して吸引手段１０からのエアーの流入または流入停止が操作可能に構成されている。
【００２３】
この実施例において、装着部５に装着される吸引手段１０は、本体部６の流通部４内にエアーを流入させると共に、吸引口２側から排出口３側に向かってエアーを流通させ、排出口３よりエアーを排出させるエアー供給手段１０にて構成されている。
【００２４】
具体的には、エアー供給手段１０はエアーコンプレッサーにて構成されており、図２に示すように、エアー供給手段１０からのエアーを装着部５を介して図２中矢印のように流通部４内に流入させる。そして、このエアーの流れに伴ない、ロングノズル４０の下端開口から内孔内に予熱バーナー３０からの炎または熱が引き上げられ、さらに、ロングノズル４０の上端開口４０ｂから、ロングノズル予熱用吸引加熱装置１の吸引口２、流通部４および排出口３を介して外方に排出されるように作用する。この作用により、ロングノズル４０を均一にムラなく予熱することができ、スポーリング、首部の折損またはソケット部の割れなどを抑制できると共に、予熱用バーナー３０の熱を効率的に利用して予熱することができるよう構成されている。
【００２５】
なお、ロングノズル予熱用吸引加熱装置１の装着部５に装着される吸引手段としては、エアー供給手段に限定されるものではなく、例えば排出口付近に設けられたエアー吸引手段であってもよい。また、この実施例のロングノズル予熱用吸引加熱装置１は、図１に示すように、吸引手段を有さないものであるが、図２に示すように装着部５に吸引手段１０が装着されたもの（ロングノズル予熱用吸引加熱装置２０）も本発明の範疇に包含される。
【００２６】
つぎに、図２に示したロングノズル予熱用吸引加熱装置２０を用いた本発明のロングノズルの予熱方法について説明する。
この実施例のロングノズル４０の予熱方法は、ロングノズル４０の上端開口４０ｂより予熱用バーナー３０からの炎または熱を吸引するための吸引口２と、吸引した炎または熱を排出するための排出口３と、吸引口２と排出口３とを連通させ吸引した炎または熱を流通させるための流通部４と、流通部４に連通し吸引口２から炎または熱を吸引するための吸引手段１０を装着するための装着部５とを有した本体部６と、装着部５に装着された吸引手段１０とを備えたロングノズル予熱用吸引加熱装置２０をロングノズル４０の上端開口４０ｂ付近に配し、吸引手段１０により予熱用バーナー３０からの炎または熱を吸引口２から吸引して引き上げロングノズル４０を予熱することを特徴とするロングノズルの予熱方法である。以下、ロングノズル４０の予熱方法を詳述するが、ロングノズル予熱用吸引加熱装置２０の構成については前述した通りであり説明を省略する。
【００２７】
この実施例のロングノズル４０の予熱方法では、図２に示すように、ロングノズル予熱用吸引加熱装置２０をロングノズル４０の上端開口４０ｂの上方に配置する。具体的には、ロングノズル４０の上端開口４０ｂと吸引口２とが連通するようにしてロングノズル予熱用吸引加熱装置２０をロングノズル４０の上端開口４０ｂの上部に載置する。
【００２８】
そして、バルブ７を開いた状態で、吸引手段（エアー供給手段）１０からのエアーを装着部５を介して図２中矢印のように流通部４内に流入させる。このエアーの流入に伴って、ロングノズル４０の下端開口から内孔内に予熱バーナー３０からの炎または熱がロングノズル４０内に流入し引き上げられて、さらに、上端開口４０ｂから、ロングノズル予熱用吸引加熱装置１の吸引口２、流通部４および排出口３を介して外方に排出される。この作用により、ロングノズル４０を均一にムラなく予熱することができ、スポーリング、首部の折損またはソケット部の割れなどを抑制できると共に、予熱用バーナー３０の熱を効率的に利用して予熱することができるよう構成されている。
【００２９】
さらに、図３または図４に示した本発明のロングノズル予熱用吸引加熱装置の他の実施例について説明する。
この実施例のロングノズル予熱用吸引加熱装置５０と、前述したロングノズル予熱用吸引加熱装置１との基本的な相違は、本体部の形態の相違とそれに伴う予熱バーナーからの炎と熱を排出する方向の相違である。ロングノズル予熱用吸引加熱装置１と同一機能を有する構成要素については同一符号を付し説明を省略する。
【００３０】
具体的には、この実施例の本体部６は、上端面が閉塞し下端面が開口して吸引口２を構成した筒状体５１と、筒状体５１と連通すると共に側方に向かって延出し他端側に排出口３を備えた管状体５２とから構成されている。
【００３１】
また、筒状体５１には、筒状体５１の上方に架橋された把持部５３が設けられており、ロングノズル予熱用吸引加熱装置５０をロングノズルの上方に配する場合等には、この把持部を把持してロングノズル予熱用吸引加熱装置５０を移動可能に構成されている。
【００３２】
さらに、バルブ７を備えた装着部５は、一端が管状体５２に取り付けられて流通部４に連通するよう構成されており、他端開口に吸引手段を装着可能に構成されている。
【００３３】
このように、本発明のロングノズル予熱用吸引加熱装置の本体部の形態は、ロングノズル予熱用吸引加熱装置１のように、上下端が開口した筒状部の形態に限定されるものではなく、吸引口２から炎または熱を吸引可能な構造を広く包含するものである。
【００３４】
そして、ロングノズル予熱用吸引加熱装置５０を使用してロングノズルを予熱する場合は、まず、把持部５３を把持してロングノズル予熱用吸引加熱装置５０を持ち上げ、ロングノズル４０の上端開口４０ｂと吸引口２とが連通するようにしてロングノズル予熱用吸引加熱装置２０をロングノズル４０の上端開口４０ｂの上部に載置する。
【００３５】
その後、バルブ７を開いた状態で、吸引手段（エアー供給手段）１０からのエアーを装着部５を介して矢印のように管状体５２の流通部４内に流入させる。このエアーの流入に伴って、ロングノズル４０の下端開口から内孔内に予熱バーナー３０からの炎または熱がロングノズル４０内に流入し引き上げられ、さらに、上端開口４０ｂから、ロングノズル予熱用吸引加熱装置１の吸引口２、流通部４および排出口３を介して外方に排出される。この作用により、ロングノズル４０を均一にムラなく予熱することができ、スポーリング、首部の折損またはソケット部の割れなどを抑制できると共に、予熱用バーナー３０の熱を効率的に利用して予熱することができるように構成されている。
【００３６】
このように、本発明のロングノズル予熱用吸引加熱装置において、予熱バーナーからの炎と熱を排出する方向は、ロングノズル予熱用吸引加熱装置１のように、上端に向かって開口した排出口から上方に向かって排出されるものに限定されず、例えばロングノズル予熱用吸引加熱装置５０のように、水平方向に向かって開口した排出口から水平方向に向かって排出されものなど、上方以外の他の方向に排出されるものを広く包含するものである。
【符号の説明】
【００３７】
１      ロングノズル予熱用吸引加熱装置
２      吸引口
３      排出口
４      流通部
５      装着部
６      本体部
７      バルブ
１０    吸引手段
【図１】
2013169560.tif 000003
【図２】
2013169560.tif 000004
【図３】
2013169560.tif 000005
【図４】
2013169560.tif 000006
【図５】
2013169560.tif 000007
【図６】
2013169560.tif 000008